(57)【要約】  【課題】  【解決手段】  包装容器（１）であって、折りたたんだ情報担持リーフレット（６）が包装容器の内側面上に配置されており、重ね合わせたラベル（７）、またはその他の糊付けしたシート材料によって保持されている。リーフレットに隣接する包装容器表面（２）にはミシン目が設けられており、容器を開くときにこれを破って、リーフレットを露出させることができる。これを行うときには、包装容器の内側に取付けられた位置に残るラベルによって内容物が保護、強化されている。【選択図】  図３
2008506597.tif 000002
【特許請求の範囲】
【請求項１】
折りたたみおよび糊付け作業中に最も上側にあるカートン半製品の表面にラベルが取り付けられており、内部が完全なカートンであるカートンにおいて、折りたたんだリーフレットまたはその他の情報担持材料が前記ラベルとカートンの表面の間に保持されており、この情報担持材料へのアクセスが延在する前記カートンの壁の一部を除去することによって提供され、前記壁に隣接するフラップであって、これによってカートンを開けるフラップを具え、この時点で前記ラベルが前記カートンの形状を強化保持し前記カートンの内容物を保持するように作用することを特徴とするカートン。
【請求項２】
請求項１に記載のカートンにおいて、前記ラベルが予め糊付けされており、自己接着することを特徴とするカートン。
【請求項３】
請求項１に記載のカートンにおいて、前記ラベルが当初は糊付けされておらず、二次的糊付け作業によって取り付けられることを特徴とするカートン。
【請求項４】
請求項１乃至３のいずれか１項に記載のカートンにおいて、前記ラベルが全面に渡って糊付けされることを特徴とするカートン。
【請求項５】
請求項１乃至３のいずれか１項に記載のカートンにおいて、前記ラベルがその表面の一部のみが糊付けされることを特徴とするカートン。
【請求項６】
請求項１乃至５のいずれか１項に記載のカートンにおいて、前記ラベルに隣接する一またはそれ以上の前記カートン表面にミシン目が設けられているか、さもなければ、これらの面が全体的にあるいは部分的に除去できるように弱くなっていることを特徴とするカートン。
【請求項７】
請求項１乃至６のいずれか１項に記載のカートンにおいて、開いているパネルに隣接する前記カートンの折りたたみラインが折り曲げられているか、部分的にカットされているか、あるいは好適に弱められていることを特徴とするカートン。
【請求項８】
請求項１乃至７のいずれか１項に記載のカートンにおいて、前記情報担持リーフレットが前記ラベルに取り付けられていることを特徴とするカートン。
【請求項９】
請求項１乃至７のいずれか１項に記載のカートンにおいて、前記情報担持リーフレットが前記カートン表面に取り付けられていることを特徴とするカートン。
【請求項１０】
請求項１乃至７のいずれか１項に記載のカートンにおいて、前記情報担持リーフレットが前記ラベルと前記カートン表面との両方に取り付けられていることを特徴とするカートン。
【請求項１１】
請求項１乃至１０のいずれか１項に記載のカートンにおいて、前記ラベルにパッシブＲＦＩＤタグが取り付けられていることを特徴とするカートン。
【請求項１２】
請求項１乃至１０のいずれか１項に記載のカートンにおいて、前記ラベルにアクティブＲＦＩＤタグが取り付けられていることを特徴とするカートン。
【請求項１３】
請求項１乃至１０のいずれか１項に記載のカートンにおいて、前記リーフレットにパッシブＲＦＩＤタグが取り付けられていることを特徴とするカートン。
【請求項１４】
請求項１乃至１０のいずれか１項に記載のカートンにおいて、前記リーフレットにアクティブＲＦＩＤタグが取り付けられていることを特徴とするカートン。
【請求項１５】
請求項１乃至１０のいずれか１項に記載のカートンにおいて、前記カートンにパッシブＲＦＩＤタグが取り付けられていることを特徴とするカートン。
【請求項１６】
請求項１乃至１０のいずれか１項に記載のカートンにおいて、前記カートンにアクティブＲＦＩＤタグが取り付けられていることを特徴とするカートン。
【請求項１７】
請求項１１乃至１６のいずれか１項に記載のカートンにおいて、前記ラベルに薄型フィルム電池が取り付けられていることを特徴とするカートン。
【請求項１８】
請求項１１乃至１６のいずれか１項に記載のカートンにおいて、前記カートンに薄型フィルム電池が取り付けられていることを特徴とするカートン。
【請求項１９】
請求項１１至１６のいずれか１項に記載のカートンにおいて、前記情報担持部分またはリーフレットに薄型フィルム電池が取り付けられていることを特徴とするカートン。
【請求項２０】
請求項１乃至１９のいずれか１項に記載のカートンにおいて、一またはそれ以上の窓が前記カートン内に設けられており、前記カートンの構成部品のいずれか、あるいはその内容物を視覚的に検査できることを特徴とするカートン。
【請求項２１】
請求項１乃至２０のいずれか１項に記載のカートンにおいて、前記カートンにその他の好適な電子情報担持デバイスが取り付けられていることを特徴とするカートン。
【請求項２２】
請求項１乃至２１のいずれか１項に記載のカートンにおいて、前記ラベルにその他の好適な電子情報担持デバイスが取り付けられていることを特徴とするカートン。
【請求項２３】
請求項１乃至２２のいずれか１項に記載のカートンにおいて、前記情報担持部分またはリーフレットにその他の好適な電子情報担持デバイスが取り付けられていることを特徴とするカートン。
【発明の詳細な説明】
【技術分野】
【０００１】
本発明は、包装容器の製造に関するものである。製品を公に提示する包装容器は、通常は、その外表面に、商標、広告、警告、使用上の指示、などを印刷した情報が記載されている。これは、このような情報を表示する有効な方法であり得る一方で、一定の不利益がある。特に、表示することのできる情報量が包装容器の表面積によって制限されており、例えば、長い指示や、製品案内の詳細が必要な場合は、不適当である。
【０００２】
このようなデータを表示する良く知られた代替の方法は、折りたたんだシートまたはリーフレットを包装容器の中に適当に入れておくことである。この方法は、通常、この情報を表示するのに十分広い表面積を提供することができるが、これにもいくつかの欠点がある。最も重要なことは、包装容器を一旦開けると、リーフレットが捨てられたり、なくなったりしやすいことである。更に、このリーフレットは、包装容器を組み立てる間に容器内に挿入して、適当に配置しなければならず、このこと自体が包装プロセスに追加のステップを必要とする。
【０００３】
第３の知られている方法は、折りたたんだリーフレットを包装容器の外側に取り付けることであるが、このようなリーフレットはダメージに弱く、不適当な回数開封される傾向にあり、再度きちんと畳むことが難しく、包装容器が扱いにくくなる。
【０００４】
本発明の主たる目的は、上述した従来技術に関連する問題を生じることなく、有意な量の情報を提示することができる包装容器を提供することである。
【０００５】
ＥＰ０８７３２６１Ｂのカートンが知られている。このカートンでは、折りたたんだリーフレットが、取付けたフラップとカートン表面の間に装着されている。フラップを開いて、隣接する面にある開口を介してカートンの内容物を取り出すときに、リーフレットが表面に出てくる。このカートンは便利であり、リーフレットの表示を確実なものにするが、この分野の当業者には理解されるように製造上の不利益がある。このリーフレットは、カートンを作る半製品の外側表面に取付けるので、カートンを作る標準的な手段で半製品を折りたたんで糊付けするときに、リーフレットを取付けることができない。また、完成したカートンは、標準包装ライン上に内容物を入れたときに取り扱いが困難である。なぜなら、取付けたリーフレットを伴う閉じたフラップが、適切に抑えられないためである。
【０００６】
本発明によれば、折りたたんだリーフレットがカートンの内側表面に取付けられており、接着剤で被覆したラベルあるいはその他のシート材料などの取付け手段によって正しい位置に保持されている包装容器が提供されている。この取付け手段は、リーフレットの上に重ねて、リーフレットの周辺外側のカートン表面に取付けられている。この取付け手段は、リーフレットに取付けても良く、取付けなくても良い。
【０００７】
これらの操作は、この分野の当業者には知られているとおり、折りたたんで糊付けするという標準的な手段によって、カートン製造中に露出しているカートン面上で行われる。従って、これらの操作は製造中にライン上で行うことができる。
【０００８】
リーフレットは、カートン表面と、取付け手段との間に完全に保持され、従って、標準的な機械によるカートンの中身を妨げることはない。
【０００９】
カートン表面にはミシン目が設けられており、ユーザがカートンを開けるとき、好ましくはこの第１表面に依存している第２表面を開くことによって、第１表面がミシン目に沿って破れて、リーフレットが露出する。
【００１０】
この時点で、カートンの内容物は上述のラベルまたはシート材によって保護されており、カートン自体が本来の状態に維持されている。ラベルまたはシート材は、第１表面によって占められていた同じ位置に残る。
【００１１】
好ましくは第２表面に取付けられたタブ内に差し込むことによって、カートンを再度閉じるときに、第１表面がリーフレットを保護し、内容物を保持するラベルまたはシート材を強化する位置に戻る。
【００１２】
カートンの第１表面には各側部へミシン目が設けられており、このミシン目はカートン折りたたみライン上の第１表面と第２表面間の互いに交差するラインにおいて、又は、更にリーフレットの幅に依存して開始している。これらのミシン目は、少なくともリーフレットと同じ長さである。このミシン目がカートンの折り目ラインの中央寄りの位置にある場合は、ミシン目が閉鎖端部における第１表面をこえて延在し、第２表面またはフラップ内のタックがカートンの全幅に確実に残る。
【００１３】
第２表面との交差ラインと反対側のミシン目の端部において、横方向のミシン目、又は折り目、あるいはヒンジを形成するその他の手段がある。ラベルまたはシートはこのヒンジの上に位置してヒンジを強化するようにしても良く、しなくても良い。
【００１４】
リーフレットはいろいろな方法で折りたたむことができるが、折りたたんだアコーディオンチェルのように、開いて、再度折りたたむことが容易な方法で折りたたむことが有利である。好ましい折りたたみスタイルは、第１の方向に複数の蛇腹状の折り目と、第２の方向に二つの蛇腹状折り目を有し、開閉が容易なリーフレットとすることである。代替的に、リーフレットを本に置き換えることができる。
【００１５】
リーフレットは代替的に、カートン表面２’に糊付けすることもでき、リーフレットに接触するラベルまたはシートの部分には接着剤がないようにする。
【００１６】
代替的に、リーフレットはラベルまたは取付けシートと、第１のパネル２’の双方に糊付けして、第１表面の開口がリーフレットを部分的に開くように折りたたむようにしても良い。これによって、消費者がより一層開きやすくなる。代替的に星型に折りたたんだリーフレットを使用しても良く、これは完全に開くであろう。
【００１７】
リーフレットを載せるカートンの第１表面は、その中に切り取った窓を設けて、リーフレット上の情報を読めるようにすることができる。この窓は、消費者がカートンのどちらの端部を開くべきかを表示するような形状であっても良い。
【図面の簡単な説明】
【００１８】
本発明の特別な実施例を、添付図面を参照して例示の方法でのみ説明する。
【図１】図１は、厚紙でできた半製品を示し、これからカートンが様々な製造ステージで作られる。
【図２】図２は、厚紙でできた半製品を示し、これからカートンが様々な製造ステージで作られる。
【図３】図３は、開いて使用するときの、カートンの完成品を示す斜視図である。
【００１９】
図１には、カートンを作る型抜きした厚紙でできた半製品が平面図で示されている。破って開くフラップ２’を形成するカートンの第１表面２のミシン目が符号３で示されている。カートンの第２表面は、フラップ５中に取付けたタックを伴って符号４で示されている。糊付けフラップ１０は、半製品のいずれの側に配置しても良い。
【００２０】
ミシン目３を除いて、この半製品の一般的な形状は当業者には良く知られている。不正の証拠となるパック、破損防止ベース、あるいはカートンスタイルの折りたたみに関するＥＣＭＡコードに見られるその他の好適な設計を形成する完全に糊付けしたフラップを有していても良い。
【００２１】
図２は、リーフレット６と、ラベル又は糊付けシート７を配置した後の、同じ厚紙でできた半製品１を示す。ミシン目３は明確化のために記載していない。
【００２２】
図３は、ヒンジフラップ２’を形成するミシン目に沿って破る第２表面２を伴う完体カートン１の斜視図である。ラベル７は、カートンの側面８及び９に、あるいは表面２に、あるいは双方に選択的に適所に糊付けされて、見られるようになっている。第２表面と閉じたフラップがそれぞれ符号４、５で示されている。リーフレットを見るための追加の成形窓が符号１１で示されている。
【図１】
2008506597.tif 000003
【図２】
2008506597.tif 000004
【図３】
2008506597.tif 000005
【手続補正書】
【提出日】平成19年3月13日(2007.3.13)
【手続補正１】
【補正対象書類名】特許請求の範囲
【補正対象項目名】請求項１
【補正方法】変更
【補正の内容】
【請求項１】
折りたたみおよび糊付け作業中に最も上側にあるカートン半製品の表面にラベルが取り付けられており、内部が完全なカートンであるカートンにおいて、折りたたんだリーフレットまたはその他の情報担持材料が前記ラベルとカートンの表面の間に保持されており、この情報担持材料へのアクセスが延在する前記カートンの壁の一部を除去することによって提供され、前記壁に隣接するフラップであって、これによってカートンを開けるフラップを具え、その後前記ラベルが前記カートンの形状を強化保持し前記カートンの内容物を保持するように作用することを特徴とするカートン。
【国際調査報告】
2008506597.tif 000006
2008506597.tif 000007
2008506597.tif 000008